(57)【要約】【課題】端部同士を突き合わせた二つのガイドレール部材をガイドレール用目板を用いて連結した場合、ガイドレール部材からエレベータ昇降路の壁面方向へ張り出すガイドレール用目板の張出寸法を小さく抑え、エレベータ昇降路の内径寸法を小さくする。【解決手段】基部６ａとガイド部６ｂとを有するとともに長手方向の端部同士を突き合わせてエレベータ昇降路内に上下方向に配置された複数のガイドレール部材６が、突合わせ部分に跨って取付けられたガイドレール用目板７により連結されている。このガイドレール用目板７には、ガイドレール部材６に対向する一方の面側に形成されて基部６ａを収容可能な深さ寸法と幅寸法とを有する収容溝部９と、収容溝部９の底部に形成されて基部６ａとガイドレール用目板７とを連結するボルト１１が取付けられるボルト取付穴１０と、を備えている。【選択図】    図４
2010173815.tif 000002
【特許請求の範囲】
【請求項１】
基部とガイド部とを有するとともに長手方向の端部同士を突き合わせてエレベータ昇降路内に上下方向に配置された複数のガイドレール部材における前記突合わせ部分に跨って取付けられ、上下方向で隣合う前記ガイドレール部材を連結するエレベータのガイドレール用目板であって、
前記ガイドレール用目板の前記ガイドレール部材に対向する一方の面側に形成されて前記基部を収容可能な深さ寸法と幅寸法とを有する収容溝部と、
前記収容溝部の底部に形成されて前記基部と前記ガイドレール用目板とを連結するボルトが取付けられるボルト取付穴と、
を備えることを特徴とするエレベータのガイドレール用目板。
【請求項２】
前記ボルト取付穴に前記ボルトが螺合される雌ネジが形成されていることを特徴とする請求項１記載のエレベータのガイドレール用目板。
【発明の詳細な説明】
【技術分野】
【０００１】
本発明は、エレベータのガイドレール用目板に関し、特に、エレベータ乗りかごや釣合重りが昇降するエレベータ昇降路の内径寸法を小さくすることができるエレベータのガイドレール用目板に関する。
【背景技術】
【０００２】
エレベータ昇降路内には、上下方向に延出するガイドレールが設けられており、エレベータ昇降路内を昇降するエレベータ乗りかごや釣合い重りはガイドレールによりガイドされている。
【０００３】
ガイドレールは、上下方向に配置された複数本のガイドレール部材と、上下方向で隣合う２つのガイドレール部材を端部同士を突き合わせた状態で連結するガイドレール用目板とにより構成されている。
【０００４】
このようなガイドレールの一例としては、下記特許文献１に記載されたものが知られている。
【０００５】
特許文献１に記載されたガイドレールによれば、ガイドレール用目板におけるガイドレール部材に対向する一方の面にガイドレール部材の長手方向と一致する向きに溝が形成され、この溝の両側にガイドレール部材の長手方向と一致する向きに細長い締結面が形成されている。一方、ガイドレール部材におけるガイドレール用目板が連結される部分には、ガイドレール部材の長手方向の両側に位置し、ガイドレール用目板の締結面に当たるように平面加工された締結面が形成されている。そして、ガイドレール部材の締結面とガイドレール用目板の締結面とが当接され、ガイドレール部材とガイドレール用目板とがボルトとナットとを用いて締付固定されている。
【先行技術文献】
【特許文献】
【０００６】
【特許文献１】特許第３４８８５５０号公報
【発明の概要】
【発明が解決しようとする課題】
【０００７】
しかしながら、特許文献１に記載されたガイドレールにおいては、ガイドレール用目板とガイドレール部材とを締付固定した場合、ガイドレール部材からエレベータ昇降路の壁面方向へ張り出すガイドレール用目板の張出寸法が大きくなる。このため、エレベータ乗りかごや釣合い重りが昇降するエレベータ昇降路の壁面とガイドレール部材との間隔を大きく設定する必要があり、エレベータ昇降路の内径寸法が大きくなっている。
【０００８】
本発明はこのような課題を解決するためになされたもので、その目的は、端部同士を突き合わせた二つのガイドレール部材をガイドレール用目板を用いて連結した場合、ガイドレール部材からエレベータ昇降路の壁面方向へ張り出すガイドレール用目板の張出寸法を小さく抑え、エレベータ昇降路の内径寸法を小さくすることができるエレベータのガイドレール用目板を提供することである。
【課題を解決するための手段】
【０００９】
本発明の実施の形態に係る第１の特徴は、基部とガイド部とを有するとともに長手方向の端部同士を突き合わせてエレベータ昇降路内に上下方向に配置された複数のガイドレール部材における前記突合わせ部分に跨って取付けられ、上下方向で隣合う前記ガイドレール部材を連結するエレベータのガイドレール用目板であって、前記ガイドレール用目板の前記ガイドレール部材に対向する一方の面側に形成されて前記基部を収容可能な深さ寸法と幅寸法とを有する収容溝部と、前記収容溝部の底部に形成されて前記基部と前記ガイドレール用目板とを連結するボルトが取付けられるボルト取付穴と、を備えることである。
【発明の効果】
【００１０】
本発明によれば、端部同士を突き合わせた二つのガイドレール部材をガイドレール用目板を用いて連結した場合、ガイドレール部材からエレベータ昇降路の壁面方向へ張り出すガイドレール用目板の張出寸法を小さくすることができ、エレベータ昇降路の内径寸法を小さくすることができる。
【図面の簡単な説明】
【００１１】
【図１】本発明の第１の実施の形態のエレベータを示す正面図である。
【図２】ガイドレール部材とガイドレール用目板とのからなるガイドレールを示す斜視図である。
【図３】ガイドレールを示す正面図である。
【図４】ガイドレールを示す水平断面図である。
【図５】ガイドレール用目板を示す斜視図である。
【図６】本発明の第２の実施の形態のガイドレールを示す水平断面図である。
【発明を実施するための形態】
【００１２】
以下、本発明の実施の形態を図面を用いて説明する。
【００１３】
（第１の実施の形態）
本発明の第１の実施の形態を、図１ないし図５に基づいて説明する。エレベータが設置された建物１内には、図１に示すようにエレベータ昇降路２が設けられており、エレベータ昇降路２内には、エレベータ乗りかご３と釣合い重り（図示せず）とが昇降可能に設けられている。さらに、エレベータ昇降路２内には、エレベータ昇降路２の壁面４に沿って上下方向に延出し、エレベータ乗りかご３を昇降可能にガイドするガイドレール５と、エレベータ昇降路２の壁面４に沿って上下方向に延出し、釣合い重りを昇降可能にガイドするガイドレール（図示せず）とが設置されている。
【００１４】
ガイドレール５は、長手方向の端部同士を突き合わせて上下方向に配置され、突き合わせ部分を連結される複数のガイドレール部材６と、端部同士を突き合わせた二つのガイドレール部材６の突き合わせ部分に跨って配置され、端部同士を突き合わせた二つのガイドレール部材６を連結するガイドレール用目板７とにより構成されている。なお、釣合い重りを昇降可能にガイドするガイドレールも、ガイドレール５と同様に複数のガイドレール部材とガイドレール用目板とにより構成されている。
【００１５】
ガイドレール部材６は、図２及び図４に示すように、基部６ａとガイド部６ｂとを有し、長手方向と直交する向きの断面形状がＴ字型に形成されている。エレベータ乗りかご３の上部と下部とには、ガイド部６ｂに嵌合することによりエレベータ乗りかごをガイドレール５に沿ってガイドするガイドシュー８が設けられている。
【００１６】
また、ガイドレール部材６の長手方向の一端には凸部６ｃが形成され、ガイドレール部材６の長手方向の他端には凹部６ｄが形成されている。二つのガイドレール部材６を端部同士を突き合わせて連結する場合、図３に示すように、一方のガイドレール部材６に形成された凸部６ｃと他方のガイドレール部材６に形成された凹部６ｄとが嵌合され、連結された二つのガイドレール部材６の横幅方向（図３に示す矢印ａ方向）の位置ずれが防止されている。
【００１７】
ガイドレール用目板７には、収容溝部９とボルト取付穴１０とが形成されている。
【００１８】
収容溝部９は、ガイドレール部材６に対向する一方の面に形成され、基部６ａを収容可能な深さ寸法“ｂ”と幅寸法“ｃ”とを有している。
【００１９】
ボルト取付穴１０は、収容溝部９の底部に形成され、このボルト取付穴１０には、ガイドレール部材６とガイドレール用目板７とを連結するボルト１１が挿通されている。なお、ガイドレール部材６とガイドレール用目板７とを連結した場合、ガイドレール部材６の基部６ａが収容溝部９内に収容され、基部６ａに形成されたボルト取付穴１２とガイドレール用目板７のボルト取付穴１０とにボルト１１が挿通され、ボルト取付穴１２，１０を挿通したボルト１１の先端部にはナット１３が螺合されている。
【００２０】
このような構成において、複数のガイドレール部材６をガイドレール用目板７を用いて連結したガイドレール５においては、ガイドレール部材６の基部６ａがガイドレール用目板７の収容溝部９内に収容されている。そして、この収容溝部９の深さ寸法“ｂ”が、基部６ａを収容可能な寸法に形成されている。
【００２１】
このため、ガイドレール部材６からエレベータ昇降路２の壁面４方向へ張り出すガイドレール用目板７の張出寸法“ｄ”を小さくすることができる。これにより、ガイドレール５とエレベータ昇降路２の壁面４との間隔を小さくすることができ、エレベータ昇降路２の内径寸法を小さくすることができる。エレベータ昇降路２の内径寸法を小さくすることにより、エレベータの設置コストの低減を図ることができる。
【００２２】
（第２の実施の形態）
本発明の第２の実施の形態を図６に基づいて説明する。なお、第１の実施の形態において説明した構成要素と同じ構成要素には同じ符号を付け、重複する説明は省略する。
【００２３】
第２の実施の形態の基本的構成は第１の実施の形態と同じであり、異なる点は、ガイドレール用目板７に形成されたボルト取付穴１０の周面に、ボルト１１が螺合される雌ネジ１４が形成されている点である。
【００２４】
このような構成において、複数のガイドレール部材６をガイドレール用目板７を用いて連結したガイドレール５においては、ガイドレール部材６とガイドレール用目板７とを連結するボルト１１は、ボルト取付穴１０の周面に形成された雌ネジ１４に螺合されている。このため、ボルト１１の先端側をガイドレール用目板７からエレベータ昇降路２の壁面４方向へ突出させる必要がなく、ガイドレール部材６とエレベータ昇降路２の壁面４との間の間隔をさらに小さくすることができ、エレベータ昇降路２の内径寸法をより一層小さくすることが可能となる。
【符号の説明】
【００２５】
２      エレベータ昇降路
６      ガイドレール部材
６ａ    基部
６ｂ    ガイド部
７      ガイドレール用目板
９      収容溝部
１１      ボルト
１２      ボルト取付穴
１４      雌ネジ
【図１】
2010173815.tif 000003
【図２】
2010173815.tif 000004
【図３】
2010173815.tif 000005
【図４】
2010173815.tif 000006
【図５】
2010173815.tif 000007
【図６】
2010173815.tif 000008